(57)【要約】【課題】簡単な構成によりゴルフバックを着脱することができ、コンパクトで収納性に優れたゴルフバック搬送用台車を提供する。【解決手段】ゴルフバック１０を載置するゴルフバック載置板１１０と、載置板の下面に取り付けられた自在キャスタ１２０とを有し、ゴルフバック載置板の上面にゴルフバックの底部を載置するゴルフバック載置部１１１を備え、載置部の一部に磁石１５０が設けられ、ゴルフバック底部に設けられた着磁部を載置部の磁石に当接させることで、載置部の磁石の磁力によってゴルフバックをゴルフバック底部の着磁部に固定すると共に、ゴルフバックの着磁部をゴルフバック載置部の磁石から離間するようにずらすことで、磁石から受ける着磁部への磁力による拘束を解放し、ゴルフバックをゴルフバック搬送用台車から引き離す。【選択図】図１
2011055968.tif 000002
【特許請求の範囲】
【請求項１】
ゴルフバックを載置するゴルフバック載置面を有するゴルフバック載置板と、前記ゴルフバック載置板の下面の少なくとも異なる三箇所に取り付けられた自在キャスタとを有するゴルフバック搬送用平台車において、
前記ゴルフバック載置面にゴルフバックの底部を載置するゴルフバック載置部を備え、
前記ゴルフバック載置部の一部に磁石が設けられ、前記ゴルフバック載置面には底部に着磁部が設けられたゴルフバックの当該着磁部を前記載置部の磁石に当接させる位置決め部を備え、
前記位置決め部を介して、前記ゴルフバック載置部の磁石と前記ゴルフバック底部の着磁部を当接させ、
前記ゴルフバック載置部の磁石の磁力を介して前記磁石と前記着磁部とを結合することによって前記ゴルフバックを台車に固定すると共に、
前記ゴルフバックの着磁部を前記ゴルフバック載置部の磁石から離間するようにずらすことで、前記磁石から受ける着磁部への磁力による拘束を解放し、前記ゴルフバックをゴルフバック搬送用台車から引き離すことを可能とすることを特徴とするゴルフバック搬送用平台車。
【請求項２】
ゴルフバックを載置するゴルフバック載置面を有するゴルフバック載置板と、前記ゴルフバック載置板の下面の少なくとも異なる三箇所に取り付けられた自在キャスタとを有するゴルフバック搬送用平台車において、
前記ゴルフバック載置面にゴルフバックの底部を載置するゴルフバック載置部を備え、
前記ゴルフバック載置部の一部に着磁部が設けられ、前記ゴルフバック載置面には底部に磁石が設けられたゴルフバックの当該磁石を前記載置部の着磁部に当接させる位置決め部を備え、
前記位置決め部を介して、前記ゴルフバック載置部の着磁部と前記ゴルフバック底部の磁石を当接させ、
前記ゴルフバック底部の磁石の磁力を介して前記磁石と前記着磁部とを結合することによって前記ゴルフバックを台車に固定すると共に、
前記ゴルフバック載置部の着磁部を前記ゴルフバック底部の磁石から離間するようにずらすことで、前記磁石から受ける着磁部への磁力による拘束を解放し、前記ゴルフバックをゴルフバック搬送用台車から引き離すことを可能とすることを特徴とするゴルフバック搬送用平台車。
【請求項３】
前記ゴルフバックの着磁部を前記ゴルフバック載置部の磁石から離間するように、又は前記ゴルフバックの磁石を前記ゴルフバック載置部の着磁部から離間するようにずらすためのガイド部が前記ゴルフバック載置面に備わっていることを特徴とする、請求項１又は請求項２に記載のゴルフバック搬送用台車。
【請求項４】
前記ガイド部は、前記ゴルフバックの着磁部を前記ゴルフバック載置部の磁石から所定方向に離間させるように、又は前記ゴルフバック底部の磁石を前記ゴルフバック載置部の着磁部から所定方向に離間させるようにゴルフバック載置面上に形成された２本の互いに延在する凸部からなり、
前記位置決め用突起部も、前記ゴルフバック載置面上に形成された突起部からなることを特徴とする、請求項１乃至請求項３に記載のゴルフバック搬送用台車。
【請求項５】
前記２本のガイド部の間隔を前記ゴルフバックの底部の大きさに合わせて変更して固定可能とし、
前記載置部に備わった前記磁石又は着磁部の前記位置決め部からの距離を前記ゴルフバック底部の大きさに合わせて変更して固定可能とすることを特徴とする、請求項４に記載のゴルフバック搬送用台車。
【請求項６】
請求項１乃至請求項３に記載のゴルフバック搬送用台車において、
ゴルフバック載置面の所定位置に凹み部が形成され、前記凹み部の互いに離間して延在する側壁面が前記ガイド部をなし、前記ゴルフバックが前記凹み部の底面の少なくとも一部によって支持されると共に、前記凹み部の一端がゴルフバック載置部の何れかの側壁において開口しており、前記凹み部の他端側壁が前記位置決め部をなしていることを特徴とする、請求項１乃至請求項３に記載のゴルフバック搬送用台車。
【請求項７】
請求項１に記載のゴルフバック搬送用平台車によって搬送されるゴルフバックであって、
当該ゴルフバック底部に着磁部が備わったことを特徴とするゴルフバック。
【請求項８】
請求項２に記載のゴルフバック搬送用平台車によって搬送されるゴルフバックであって、
当該ゴルフバック底部に磁石が備わったことを特徴とするゴルフバック。
【請求項９】
請求項７に記載の着磁部であって、既存のゴルフバックに後付け可能なことを特徴とする着磁部。
【発明の詳細な説明】
【技術分野】
【０００１】
本発明は、ゴルフバックを搬送するのに用いるゴルフバック搬送用台車に関する。
【背景技術】
【０００２】
従来から、ゴルフの練習に行く際にゴルフ練習場の駐車場から打席まで、又は、ゴルフ場に行く際に家からメンバーとの待ち合わせ場所まで等、車での移動ができず、徒歩で移動しなければならない場所でゴルフバッグを運ぶ際には、使用者がゴルフバックを自ら担いで運ばなければならなかった。しかし、ゴルフに用いるゴルフクラブは鉄等でできていて重量が嵩み、ゴルフバック自体の重量もクッション材や金属の枠組み等で重くなりがちであり、ゴルフバック全体の重量はかなり重いものになってしまい、ゴルフバックを担ぐ際の身体的負担が大きくなっている。
【０００３】
また、移動距離が長い場所で重くて大きなバックを担いで移動することは肉体的にも負担になるし、足元が見え難くなり転び易くなって危険であった。特に近年では年配のゴルファーや女性のゴルファーが増加する傾向があるので、上述したような負担からゴルファーを解放するような必要があった。
【０００４】
その解決策として、様々な形状のゴルフバック搬送用の台車や、車輪付きのゴルフバックが知られている（例えば、特許文献１又は２参照）。
【０００５】
特許文献１に係るゴルフバックは、２つの車輪を取り付けて車輪により搬送可能としたゴルフバックである。
【０００６】
特許文献２に係るゴルフバック用運搬具は、ゴルフバックと一体型又はクランプねじやカムを用いることによって取り外し可能に形成された基台を有するゴルフバック用運搬具である。
【先行技術文献】
【特許文献】
【０００７】
【特許文献１】特開２００８−８０１２８号公報（００２６）〜（００５７）、図１
【特許文献２】特開平１０−０４３３３５号公報（００１０）〜（００３４）、図１〜図１０
【発明の概要】
【発明が解決しようとする課題】
【０００８】
特許文献１に記載されたゴルフバックは、車輪がゴルフバックと取り外し可能なように形成されている。しかしながら、車輪部分の部品は比較的大きなものになっており、また二つの車輪と支柱とを有する不安定で、かつかさばる形状となっているため、例えば車のトランクルーム内等の狭い空間に保管する場合の保管性に優れない。また、車輪が付いているため、ゴルフバックを担ぐよりは遥かに負担は軽減されるであろうが、二つの車輪はゴルフバックの真横に取り付けられており、結局ゴルフバックを不安定な状態で持ち上げなければならない。また、ゴルフバックの重心が車輪より前方に傾いてしまうため躓き易く、負担の解消までには至っていない。
【０００９】
また、特許文献２に記載のゴルフバック用運搬具は、ゴルフバックと一体に形成された基台を有するものについては、底部部分の面積が大きくなるため、上述した特許文献１のゴルフバックと同様に、狭い空間での保管に不向きである。
【００１０】
また、ゴルフバックを取り外し可能に形成された基台を有するゴルフバック用搬送具は、クランプねじやカムによる締結作業に伴う細かい手作業を必要とする構造を有しているため、取り付けや取り外しの際に屈み込まなければならない。そのため、取り付けや取り外しが面倒であり、また駐車場など車の出入りするような場所で夜間に屈み込んだりすると乗用車の死角に入ってしまい、危険である。
【００１１】
更に、何の工夫もされていないゴルフバックを、無理やりカムやクランプねじなどで締め付け、押さえ込むことで固定しているため、このようなことを繰り返し行うと、ゴルフバックの締め付けた部分が擦れて傷んでしまい、ゴルフバックの損傷を招きかねない。
【００１２】
以上のような課題から、ゴルフバックと台車との両方に着脱用の機構を取り付けることで、立った状態のままの姿勢で余計な手間をかけず簡単に取り付け及び取り外しのできる構成を有するゴルフバックと台車が求められている。
【００１３】
本願発明の目的は、簡単にゴルフバックを着脱することができ、かつコンパクトで収納性に優れた簡単な構成のゴルフバック搬送用台車を提供することである。
【課題を解決するための手段】
【００１４】
上述した課題を解決するために、本発明の請求項１に係るゴルフバック搬送用台車は、
ゴルフバックを載置するゴルフバック載置面を有するゴルフバック載置板と、前記ゴルフバック載置板の下面の少なくとも異なる三箇所に取り付けられた自在キャスタとを有するゴルフバック搬送用平台車において、
前記ゴルフバック載置面にゴルフバックの底部を載置するゴルフバック載置部を備え、
前記ゴルフバック載置部の一部に磁石が設けられ、前記ゴルフバック載置面には底部に着磁部が設けられたゴルフバックの当該着磁部を前記載置部の磁石に当接させる位置決め部を備え、
前記位置決め部を介して、前記ゴルフバック載置部の磁石と前記ゴルフバック底部の着磁部を当接させ、
前記ゴルフバック載置部の磁石の磁力を介して前記磁石と前記着磁部とを結合することによって前記ゴルフバックを台車に固定すると共に、
前記ゴルフバックの着磁部を前記ゴルフバック載置部の磁石から離間するようにずらすことで、前記磁石から受ける着磁部への磁力による拘束を解放し、前記ゴルフバックをゴルフバック搬送用台車から引き離すことを可能とすることを特徴としている。
【００１５】
請求項１に係るゴルフバック搬送用台車によると、ゴルフバック底部に設けられた着磁部をゴルフバック載置面のゴルフバック載置部に設けられた磁石に当接させるだけで、ゴルフバックを台車にしっかりと固定できるようになっている。そのため、台車を地面に置いて、ゴルフバックを担いだままの姿勢で屈むことなく単に台車に載せるだけで、ゴルフバックを立てたままの状態で台車に簡単に固定することができる。
【００１６】
また、ゴルフバックを台車に固定することで、段差や突起物があるような場所や階段等でゴルフバックを持ち上げて運ぶ際に、台車とゴルフバックを一緒に持ち上げることができる。その結果、台車をわざわざゴルフバックと別に持ち上げて運び、その後にゴルフバックを台車に載せ直すような手間を必要とせず、ゴルフバックを台車ごと楽に運ぶことが可能となる。
【００１７】
また、ゴルフバックを台車ごと横にすることで、ゴルフバックの自重を利用してゴルフバックの着磁部をゴルフバック載置部の磁石からずらし、ゴルフバックの磁石による台車との拘束を解除することで、余計な手間をかけることなく台車をゴルフバックから簡単に外すことができる。これによって、例えば車のトランクルームなどにゴルフバックと台車を収納する際に、台車に固定したままゴルフバックを持ち上げ、ゴルフバックの着磁部が磁石からずれるような向きに載せるだけで、ゴルフバック自体の重みを利用して台車をゴルフバックから簡単に外すことができる。これによって、ゴルフバックとは別に台車をトランクルームに収納することができる。
【００１８】
その結果、台車の角でトランクルームを傷つけたり、台車の自在キャスタについた土等でトランクルームを汚したりする虞がなくなる。また、例えばトランクルームの片隅等、収納し易い場所に台車を簡単に収納することが可能となる。
【００１９】
また、本発明の請求項２に係るゴルフバック搬送用台車は、
ゴルフバックを載置するゴルフバック載置面を有するゴルフバック載置板と、前記ゴルフバック載置板の下面の少なくとも異なる三箇所に取り付けられた自在キャスタとを有するゴルフバック搬送用平台車において、
前記ゴルフバック載置面にゴルフバックの底部を載置するゴルフバック載置部を備え、
前記ゴルフバック載置部の一部に着磁部が設けられ、前記ゴルフバック載置面には底部に磁石が設けられたゴルフバックの当該磁石を前記載置部の着磁部に当接させる位置決め部を備え、
前記位置決め部を介して、前記ゴルフバック載置部の着磁部と前記ゴルフバック底部の磁石を当接させ、
前記ゴルフバック底部の磁石の磁力を介して前記磁石と前記着磁部とを結合することによって前記ゴルフバックを台車に固定すると共に、
前記ゴルフバック載置部の着磁部を前記ゴルフバック底部の磁石から離間するようにずらすことで、前記磁石から受ける着磁部への磁力による拘束を解放し、前記ゴルフバックをゴルフバック搬送用台車から引き離すことを可能とすることを特徴としている。
【００２０】
請求項２に係るゴルフバック搬送用台車によると、ゴルフバック底部に設けられた磁石をゴルフバック載置面のゴルフバック載置部に設けられた着磁部に当接させるだけで、ゴルフバックを台車にしっかりと固定できるようになっている。そのため、台車を地面に置いて、ゴルフバックを担いだままの姿勢で屈むことなく単に台車に載せるだけで、ゴルフバックを立てたままの状態で台車に簡単に固定することができる。
【００２１】
また、磁石と着磁部を介してゴルフバックを台車に固定することで、例えばゴルフ練習場やゴルフ場の駐車場等においてゴルフバックを搬送中、段差や突起物があるような場所や階段等でゴルフバックを持ち上げて運ぶ際に、台車とゴルフバックを一緒に持ち上げることができる。その結果、台車をわざわざゴルフバックと別に持ち上げて運び、その後にゴルフバックを台車に載せ直すような手間を必要とせず、ゴルフバックを台車ごと楽に運ぶことが可能となる。
【００２２】
また、比較的頑丈に作られたゴルフバック底部に取り付けた磁石を介してゴルフバックを台車に固定するため、ゴルフバックに無理な力を加えることなく、簡単に台車に固定することができるようになる。
【００２３】
また、上述した構成により、単にゴルフバックを台車ごと持ち上げ横にして所定位置に置くだけで、ゴルフバックの磁石をゴルフバック載置部の着磁部からずらしゴルフバック底部の磁石による台車との拘束を解除することができる。これによって、例えば車のトランクルームなどにゴルフバックと台車を収納する際に、台車に固定したままゴルフバックを持ち上げ、ゴルフバックの磁石が着磁部からずれるような向きに載せるだけで、ゴルフバック自体の重みを利用して台車をゴルフバックから簡単に外すことができる。これによって、ゴルフバックとは別に台車をトランクルームに収納することができる。
【００２４】
その結果、台車の角でトランクルームを傷つけたり、台車の自在キャスタについた土等でトランクルームを汚したりする虞がなくなる。また、例えばトランクルームの片隅等、収納し易い場所に台車を簡単に収納することが可能となる。
【００２５】
また、ゴルフバックを車のトランクルームに収容する際、駐車場で屈むような無理な姿勢をとってゴルフバックを台車から外すための余計な作業をする必要もない。
【００２６】
また、本発明の請求項３に係るゴルフバック搬送用台車は、請求項１又は請求項２に係るゴルフバック搬送用台車において、
前記ゴルフバックの着磁部を前記ゴルフバック載置部の磁石から離間するように、又は前記ゴルフバックの磁石を前記ゴルフバック載置部の着磁部から離間するようにずらすためのガイド部が前記ゴルフバック載置面に備わっていることを特徴としている。
【００２７】
請求項３に係るゴルフバック搬送用台車によると、台車に固定したゴルフバックを車のトランクルームに載せる際に、台車のゴルフバック載置面に設けられたガイド部を位置決め部よりも下にしてトランクルームの底面に横に置き、ゴルフバックの自重を利用してゴルフバック底部と台車のゴルフバック載置部に設けられた磁石と着磁部をガイド部に沿って正確にずらしてゴルフバックを台車から外すことができる。
【００２８】
また、ゴルフバック搬送用台車にゴルフバックを載せる際に、ガイド部があることにより、ゴルフバックのより正確な位置決めをすることができる。
【００２９】
また、本発明の請求項４に係るゴルフバック搬送用台車は、請求項１乃至請求項３に係るゴルフバック搬送用台車において、
前記ガイド部は、前記ゴルフバックの着磁部を前記ゴルフバック載置部の磁石から所定方向に離間させるように、又は前記ゴルフバック底部の磁石を前記ゴルフバック載置部の着磁部から所定方向に離間させるようにゴルフバック載置面上に形成された２本の互いに延在する凸部からなり、
前記位置決め部も、前記ゴルフバック載置面上に形成された突起部からなることを特徴としている。
【００３０】
請求項４に係るゴルフバック搬送用台車によると、既存の台車とゴルフバックに簡単な加工を施すことによって、コスト低減を図りながら、請求項１乃至３のゴルフバック搬送用台車の奏する効果を得ることが可能となる。
【００３１】
また、本発明の請求項５に係るゴルフバック搬送用台車は、請求項４に記載のゴルフバック搬送用台車において、
前記２本のガイド部の間隔を前記ゴルフバックの底部の大きさに合わせて変更して固定可能とし、
前記載置部に備わった前記磁石又は着磁部の前記位置決め部からの距離を前記ゴルフバック底部の大きさに合わせて変更して固定可能とすることを特徴としている。
【００３２】
請求項５に係るゴルフバック搬送用台車によると、所有するゴルフバックの大きさ（サイズ）の違いに関わらず、一台のゴルフバック搬送用台車で対応することができる。
【００３３】
また、サイズの異なるゴルフバックに買い換えた場合や、複数のゴルフバックを所有している場合であっても、それに合わせて台車を買い換えたり、複数の台車を用意する必要がない。
【００３４】
また、本発明の請求項６に係るゴルフバック搬送用台車は、請求項１乃至請求項３に記載のゴルフバック搬送用台車において、
ゴルフバック載置面の所定位置に凹み部が形成され、前記凹み部の互いに離間して延在する側壁面が前記ガイド部をなし、前記ゴルフバックが前記凹み部の底面の少なくとも一部によって支持されると共に、前記凹み部の一端がゴルフバック載置部の何れかの側壁において開口しており、前記凹み部の他端側壁が前記位置決め部をなしていることを特徴としている。
【００３５】
請求項６に係るゴルフバック搬送用台車によっても、既存の台車とゴルフバックに簡単な加工を施すことによって、請求項１乃至３のゴルフバック搬送用台車に係る効果を得ることが可能となる。このため、既存の構成部品をそのまま利用でき、コスト低減に貢献する。また、ゴルフバック載置部の位置決め部及びガイド部が凸部でなく凹み部から構成されているため、台車が痛み難い。
【００３６】
また、本発明の請求項７に係るゴルフバックは、
請求項１に記載のゴルフバック搬送用平台車によって搬送されるゴルフバックであって、
当該ゴルフバック底部に着磁部が備わったことを特徴としている。
【００３７】
また、本発明の請求項８に係るゴルフバックは、
請求項２に記載のゴルフバック搬送用平台車によって搬送されるゴルフバックであって、
当該ゴルフバック底部に磁石が備わったことを特徴としている。
【００３８】
また、本発明の請求項９に係る着磁部は、
請求項７に記載の着磁部であって、既存のゴルフバックに後付け可能なことを特徴としている。
【発明の効果】
【００３９】
本発明よると、簡単にゴルフバックを着脱することができ、かつコンパクトで収納性に優れた簡単な構成のゴルフバック搬送用台車を提供することができる。
【図面の簡単な説明】
【００４０】
【図１】本発明の一実施形態に係るゴルフバック搬送用台車の斜視図（図１（ａ））、台車の平面図（図１（ｂ））、及び側面図（図１（ｃ））である。
【図２】本発明の一実施形態に係るゴルフバック搬送用台車によって搬送するゴルフバックの底面を示す平面図である。
【図３】本発明の一実施形態に係るゴルフバック搬送用台車にゴルフバックを載せて移動させる状態を示す説明図である。
【図４】本発明の一実施形態に係るゴルフバック搬送用台車からゴルフバックを外す際の状態を図４（ａ）から図４（ｄ）までに順を追って示した説明図である。
【図５】本発明の一実施形態の第１変形例に係るゴルフバック搬送用台車の斜視図（図５（ａ））、台車の平面図（図５（ｂ））、及び側面図（図５（ｃ））である。
【図６】本発明の一実施形態の第２変形例に係るゴルフバック搬送用台車の斜視図（図６（ａ））、台車の平面図（図６（ｂ））、及び側面図（図６（ｃ））である。
【図７】本発明の一実施形態の第３変形例に係るゴルフバック搬送用台車の平面図（図７（ａ））、及び側面図（図７（ｂ））である。
【発明を実施するための形態】
【００４１】
本発明は、ゴルフバックを載置するゴルフバック載置面を有するゴルフバック載置板と、ゴルフバック載置板の下面の少なくとも異なる三箇所に取り付けられた自在キャスタとを有するゴルフバック搬送用平台車において、ゴルフバック載置面にゴルフバックの底部を載置するゴルフバック載置部を備え、ゴルフバック載置部の一部に磁石が設けられ、ゴルフバック載置面には底部に着磁部が設けられたゴルフバックの当該着磁部を載置部の磁石に当接させる位置決め部を備え、位置決め部を介して、ゴルフバック載置部の磁石とゴルフバック底部の着磁部を当接させ、ゴルフバック載置部の磁石の磁力を介して磁石と着磁部とを結合することによってゴルフバックを台車に固定すると共に、ゴルフバックの着磁部をゴルフバック載置部の磁石から離間するようにずらすことで、磁石から受ける着磁部への磁力による拘束を解放し、ゴルフバックをゴルフバック搬送用台車から引き離すようになっている。
【００４２】
以下、本発明の一実施形態に係るゴルフバック搬送用台車１００について図面に基づいて説明する。図１は、本発明の一実施形態に係るゴルフバック搬送用台車１００(以下、適宜単に「台車」とする。）の斜視図（図１（ａ））、台車１００の平面図（図１（ｂ））、及び側面図（図１（ｃ））である。本実施形態に係る台車１００は、図１に示すように、ゴルフバックを搭載するゴルフバック載置板１１０と、ゴルフバック載置板１１０の下面に取り付けられた４つの同型の自在キャスタ１２０とを有しており、ゴルフバック載置面１１０ａとなるゴルフバック載置部上面１１０ａには、ゴルフバック１０を載置して固定する位置を使用者に分かり易くするための位置決め用突起部（位置決め部）１４０と、ゴルフバックをゴルフバック載置部１１１に固定するための磁石１５０が備わっている。
【００４３】
ゴルフバック載置板１１０は、本実施形態においては、樹脂材など強度と成形性に優れた材質でできており、一定の厚みを有した平面視矩形の板材からなる。またゴルフバック載置面１１０ａは、ゴルフバック１０を載置するために適した形状と広さを有している。
【００４４】
また、ゴルフバック載置面１１０ａには、ゴルフバック１０を固定した状態で載置するためのゴルフバック載置部１１１が備わり、ゴルフバック固定載置部１１１の一端にはゴルフバック固定載置部１１１の位置を使用者に明確に示すと共に、ゴルフバック１０をゴルフバック固定載置部１１１に簡単に位置合わせすることができる位置決め用突起部１４０が備わっている。
【００４５】
より具体的には、位置決め用突起部１４０はゴルフバック固定載置部１１１の周囲の周方向一部であってゴルフバック載置面１１０ａの何れか一方の端部側縁側に延在している。そして、使用者は位置決め用突起部１４０にゴルフバック１０を合わせることによって、ゴルフバック１０を所定位置に簡単に置くことができる。
【００４６】
なお、ゴルフバック固定載置部１１１は、一般に広く販売されている既存のゴルフバックの底部１０ｂに合致した形状の領域からなっている。例えば、本実施形態においては、ゴルフバック固定載置部１１１は８インチのゴルフバックを載せるのに適するように、平面視で直径２５センチメートルの円形形状をなしている。またゴルフバック固定載置部１１１の、位置決め用突起部１４０の取り付けられた側の端部側縁と反対側の端部側縁からゴルフバック載置部１１１までは、後述する磁石１５０の直径より少し大きい程度の間隔を有している。
【００４７】
また、ゴルフバック固定載置部１１１の中央には、ゴルフバックを台車１００のゴルフバック載置部１１１にしっかりと固定するための磁石１５０を取り付ける磁石取り付け部１１２が備わっている。磁石取り付け部１１２は、ゴルフバック底部１０ｂの周囲に取り付けられた突起部１２によって、ゴルフバック接地面から浮いた状態になっているゴルフバック底部１０ｂに当接することができるようにゴルフバック載置面１１０ａから若干突出し、上面部が磁石を取り付け可能な形状を有している。
【００４８】
磁石取り付け部１１２に取り付けられる磁石１５０は、ゴルフバック底部１０ｂに取り付けた着磁部１１に固定した状態でゴルフバック１０を持ち上げた際に、ゴルフバックに台車１００を固定した状態を安定に維持するために十分な磁力と大きさを有している。例えば、本実施形態においては、直径４センチメートルの円板形状を有しており、ゴルフバック１０に固定した台車１００を安定して持ち上げることが可能な程度の磁力を有している。
【００４９】
また、位置決め用突起部１４０の備わった方のゴルフバック載置板端部には、台車１００を手に持って移動し易いように、取っ手１７０となるトラック状の孔が端部側縁と平行に形成されている。
【００５０】
続いて、本発明の一実施形態に係るゴルフバック搬送用台車１００によって搬送するゴルフバック１０について説明する。図２は、本発明の一実施形態に係るゴルフバック搬送用台車１００によって搬送するゴルフバックの底面１０ｂを示す平面図である。ゴルフバックの底部中央には、前述したゴルフバック載置部１１１に取り付けられた磁石１５０に対応して、鉄等の磁力によって引き寄せられる性質を有する金属素材からなる着磁部１１が設けられている。着磁部１１は、前述した磁石１５０より大きい形状を有しており、ゴルフバック１０を位置決め用突起部１４０に位置合わせをしてゴルフバック載置部１１１に置くことによりゴルフバック固定載置部１１１に設けられた磁石１５０と着磁部１１がぴったりと合致するようになっている。また、既存のゴルフバックと同様に、ゴルフバック底部１０ｂの周方向に沿ってゴルフバック１０を地面に接地する細長の突起部１２が備わっている。
【００５１】
続いて、上述した実施形態に係るゴルフバック搬送用台車１００の作用について説明する。図３は、本発明の一実施形態に係るゴルフバック搬送用台車１００にゴルフバックを載せて移動させる状態を示す説明図である。図３に示すように、本発明に係るゴルフバック搬送用台車１００を用いてゴルフバック１０を搬送するに当たって、最初に台車１００にゴルフバックを載置して固定する。この際、ゴルフバック載置面１１０ａに設けられた位置決め用突起部１４０にゴルフバック１０を合わせて、ゴルフバックを台車１００に載せる。なお、後述する台車１００とゴルフバック１０を取り外して例えば車のトランクルームの任意の場所に収納する際の利便性を考慮すると、ゴルフバック１０を台車１００に載せた際に、ゴルフバックの持ち手１３は、位置決め用突起部１４０と同じ向きに向いていることが望ましい。
【００５２】
上述したように、単にこのようにゴルフバック１０をゴルフバック載置部１１１に位置を合わせて載せるだけで、ゴルフバック載置部１１１の磁石１５０とゴルフバック底部１０ｂの着磁部１１が当接し、着磁部１１が磁力によって磁石１５０と結合してゴルフバック１０がゴルフバック載置部１１１にしっかりと固定される。そのため、この状態でゴルフバックを移動させる際には、ゴルフバックの持ち手１３を掴んで、ゴルフバック１０をどの向きから押しても、また、引っ張っても、ゴルフバック１０を倒すことなく安定してゴルフバック１０を搬送することができる。
【００５３】
また、台車１００とゴルフバック１０が安定して固定されているため、例えば、ゴルフ練習場やゴルフ場の駐車場等においてゴルフバック１０を搬送する際に、段差や突起物があるような場所や階段等があっても、台車１００とゴルフバック１０を一緒に持ち上げて運ぶことができる。その結果、台車１００をわざわざゴルフバック１０と別に持ち上げて運び、その後にゴルフバック１０を台車１００に載せ直すような手間を必要とせず、ゴルフバック１０を台車１００ごと楽に運ぶことが可能となる。
【００５４】
また、従来のカムやクランプねじを使った機構によってもしっかりと台車とゴルフバックを固定することができるが、カム等によりゴルフバックの側面を無理に締め付け、ゴルフバックを傷めてしまう虞がある。しかしながら、本実施形態による台車１００を用いることによって、ゴルフバック底部１０ｂに取り付けた着磁部１１を介してゴルフバック１０を台車１００に固定するため、ゴルフバック自体に無理な力を加えることなくゴルフバック１０を台車１００に簡単に固定することができるようになる。従って、大切なゴルフバック１０を痛めずに長期間使用することができる。
【００５５】
また、図４は、本発明の一実施形態に係るゴルフバック搬送用台車１００からゴルフバック１０を外す際の状態を示した説明図である。ゴルフバック１０の搬送が終了し、所定位置でゴルフバック１０を台車１００から外す際には、図４に示すように、台車１００に固定された状態のゴルフバック１０（図４（ａ）参照）の取っ手１３を持って持ち上げ、ゴルフバック１０を横にして（図４（ｂ）参照）、台車１００の位置決め用突起部が上になるような向き（図４（ｃ）の矢印Ｂに示す方向参照）で所定位置に置く（図４（ｃ）参照）。こうするだけで、ゴルフバック１０の自重により、ゴルフバックの着磁部１１がゴルフバック載置部の磁石１５０から図４（ｃ）に示す矢印Ｃの方向にずれてゴルフバック載置部１１１の磁石１５０によるゴルフバック１０との拘束が解除され、ゴルフバック１０から台車１００を簡単に外すことができる（図４（ｄ））。
【００５６】
このような機能によって、例えばゴルフバック１０と台車１００を車のトランクルームなどに収納する際に、台車１００に固定したままゴルフバック１０を持ち上げ、ゴルフバック１０の着磁部１１が磁石１５０からずれるような向きに載せるだけで、ゴルフバック１０の自重を利用して台車１００をゴルフバック１０から簡単に外すことができる。その結果、ゴルフバック１０とは別に台車１００をトランクルームに収納することができる。これによって、台車１００の角でトランクルームを傷つけたり、台車１００の自在キャスタ１２０についた土等でトランクルームを汚したりする虞がなくなる。また、例えばトランクルームの片隅等、収納し易い場所に台車１００を簡単に収納することが可能となる。
【００５７】
なお、例えばゴルフ場のロビーなどで台車１００からゴルフバック１０を外す時には、ゴルフバックの磁石１５０が着磁部１１からずれるような向きで台車１００を柱や壁に押し付け、ゴルフバック１０を壁側に押してゴルフバックの着磁部１１をゴルフバック載置部１１１の磁石１５０からずらせば良い。こうすることでゴルフバック固定載置部１１１の磁石１５０によるゴルフバック１０への拘束が解除され、ゴルフバック１０を簡単に持ち上げることができるようになる。
【００５８】
続いて、本発明の一実施形態の第１変形例に係るゴルフバック搬送用台車２００について説明する。なお、上述の実施形態と同等の構成については、対応する符号を付して詳細な説明を省略する。図５は、本発明の一実施形態の第１変形例に係るゴルフバック搬送用台車２００の斜視図（図５（ａ））、台車２００の平面図（図５（ｂ））、及び側面図（図５（ｃ））である。
【００５９】
この変形例においては、上述の実施形態のゴルフバック搬送用台車２００の構成に加えて、ガイド突起部２６０が備わっている。ガイド突起部２６０は、ゴルフバック載置面２１０ａの位置決め用突起部２４０と反対側の端部側縁に向かって当該端部側縁に対して垂直に、ゴルフバック底面１０ｂの直径と略同等の間隔を保って平行に延在する２本の角型棒状の突起部からなっている。このガイド突起部２６０は、台車２００のゴルフバック載置板２１０と一体に形成しても良く、また、棒状に形成した部品をゴルフバック載置面２１０ａに取り付けることによって形成しても良い。
【００６０】
このガイド突起部２６０があることによって、台車２００に固定されたゴルフバック１０を例えば車のトランクルームに載せる際に、ガイド突起部２６０に沿って台車２００とゴルフバック１０を容易に分離させることができる。また、ガイド突起部２６０に沿ってゴルフバック１０を外すことにより、意図せぬ方向にゴルフバック１０を落としてしまうような虞もなくなる。これによってゴルフクラブの端部が傷ついてしまうような虞もなくなる。
【００６１】
更に、ガイド突起部２６０が備わっていることによって、台車２００とゴルフバック１０を外す際に、このガイド突起部２６０の備わった側の台車２００の端部側縁をトランクルームの底面につけて、ガイド突起部２６０に沿った方向に外せば良いことを使用者に視覚的に理解させることができる。
【００６２】
続いて、本発明の一実施形態の第２変形例に係るゴルフバック搬送用台車３００について説明する。なお、上述の実施形態と同等の構成については、対応する符号を付して詳細な説明を省略する。図６は、本発明の一実施形態の第２変形例に係るゴルフバック搬送用台車３００の斜視図（図６（ａ））、台車３００の平面図（図６（ｂ））、及び側面図（図６（ｃ））である。
【００６３】
この変形例においては、既存の複数のサイズのゴルフバック１０に適応可能になっている。即ち、使用者がこのゴルフバック搬送用台車３００を購入した後に、上述したゴルフバック載置部３１１の大きさを任意に、例えば、既存の８インチ、９インチ、１０インチの３種類の大きさのゴルフバック１０の何れかに合わせた大きさに変更できるようになっている。
【００６４】
位置決め用突起部３４０は、最大の大きさのゴルフバック底面１０ｂの形状に合わせたゴルフバック載置部３１１の周方向の一部に、ややゆるやかな弧を描いて延在している。また、磁石取り付け部３１２は、直径８インチ、９インチ、１０インチのゴルフバック１０を、それぞれ位置決め突起部３４０に合わせて載置し固定した時に、それぞれのゴルフバック１０の中心に合致する場所に磁石１５０を取り付けることが可能なようになっており、例えば図６（ｂ）に示すように、磁石３５０が３箇所並んで取り付けられている。
【００６５】
また、ガイド突起部３６０は２本の角型棒状の部品からなり、ゴルフバック載置面３１０ａに、ガイド突起部３６０と垂直方向に形成されたスライド用ガイド孔（図示せず）に、ボルトと蝶ナットを介して備わっている。このスライド用ガイド孔を介して、使用者はガイド突起部３６０の位置を自由に動かして任意の位置で固定することにより、ガイド突起部３６０の幅を様々な大きさのゴルフバック１０に合わせることができる。なお、８インチ、９インチ、１０インチのゴルフバックの底面形状に合わせてそれぞれの幅が固定されるように、最適な位置で簡単に止めることができるような例えばラッチ式のストッパがガイド部３６０に取り付けられていても良い。
【００６６】
なお、磁石取り付け部３１２は、１つの磁石３５０のみを備え、上述したガイド用突起部３６０をスライドさせる機構と同様の機構によりスライドさせることで、台車３００に搭載する可能性のある複数のゴルフバック形状に合わせて、磁石３５０の位置を変更することが可能なように取り付けても良い。例えば、ゴルフバック載置面上に、位置決め突起部３４０の中央から少し離間して、台車３００からゴルフバック１０を外す方向を長手方向とするトラック状の凹み部を形成し、その凹み部に嵌め込むように磁石３５０を１つだけ備えた磁石取り付け部３１２をスライド可能に設ける。また、この上面に磁石３５０を一つだけ設けた磁石取り付け部３１２が予め必要な場所で留まるようなラッチ式のストッパが設けられた構成にしても良い。このことによって、一つの磁石３５０を用いて様々な大きさのゴルフバック１０に対応する台車３００を提供することができる。従って、上述の複数の磁石３５０を並べる方法では、より細やかなゴルフバック１０のサイズに対する調整が可能となる。その結果、例えば予め想定し得ないようなサイズのゴルフバック１０にも対応可能となり、３種類に限らずどのような大きさにでも対応可能な台車３００を１台で提供することができる。また、使用者が自分のゴルフバック１０に合わせてより柔軟に磁石３５０の位置を変更することができるようになる。
【００６７】
続いて、本発明の一実施形態の第３変形例に係るゴルフバック搬送用台車４００について説明する。なお、上述の実施形態と同等の構成については、対応する符号を付して詳細な説明を省略する。図７は、本発明の一実施形態の第３変形例に係るゴルフバック搬送用台車４００の平面図（図７（ａ））及び側面図（図７（ｂ））である。
【００６８】
この変形例においては、上述した位置決め用突起部とガイド突起部を形成する代わりに、ゴルフバック載置面４１０ａに平面視でＵ字状をなす凹み部４１５が形成されている。また、凹み部４１５の底面４１５ａは平坦面となっており、その一部がゴルフバック載置部４１１となっている。そしてゴルフバック固定載置部４１１の中央には、上述した本発明の一実施形態に係るゴルフバック搬送用台車１００と同様に、磁石４５０が磁石取り付け部４１２を介して備わっている。そして、凹み部４１５の互いに離間して平行に延在する側壁部がガイド部４６０をなし、湾曲した部分が位置決め部４４０をなしている。ガイド部４６０はゴルフバック１０の取っ手部１３と反対側の側壁に開口しており、ゴルフバック１０がガイド部４６０に沿って開口した側壁に向かって滑らかに移動可能となっている。
【００６９】
位置決め部４４０は、本実施形態においては、例えば８インチのゴルフバック１０に対応する大きさを有しているゴルフバック固定載置部４１１の中央には、上述した本発明の一実施形態に係るゴルフバック搬送用台車４００と同様に、例えば直径が約４センチメートルの円板形状をなす磁石４５０が、磁石取り付け部４１２を介して備わっている。
【００７０】
このような変形例においても、凹み部４１５の湾曲部となる側壁が前述した位置決め用突起部２４０の役割を十分になすと共に、凹み部４１５の、互いに離間して平行に延在する側壁部がガイド突起部２６０の役割をなし、上述した実施形態の奏する効果を得ることが可能となる。また、わざわざ突起部となる部品を取り付ける必要がなく、ゴルフバック載置板４１０と一体化するように本発明における各構成要素を形成することが可能となり、成形性の点で優れている。また、ゴルフバック載置板４１０と一体型に形成した凹み形状とすることにより、上述した突起部よりも強度上比較的優れた構造とすることができる。
【００７１】
また、この変形例のように凹み部の底面が平坦ではなかったとしても、凹み部の何れかの箇所においてゴルフバックが支持されるような構造であれば、上述した効果を奏するのに十分である。
【００７２】
なお、ゴルフバック載置板１１０は樹脂材に限らず、ゴルフバック１０を搭載するのに十分な強度を有していれば、木材、金属材など、他の材質のものを用いても良い。
【００７３】
また、上述の実施形態及びその各変形例においては、４つの自在キャスタを有した台車を用いて説明したが、ゴルフバックをゴルフバック載置板に載せて搬送する際に、安定した状態を保てれば良く、３つ又は５つ以上の自在キャスタを有する台車にも適用可能である。
【００７４】
また、上述した実施形態及びその変形例においては、８インチのゴルフバックを例にとって、これに合致するような台車としたが、他のサイズのゴルフバックに合わせて成形することも可能であることは言うまでもない。また、上述した変形例において、第２変形例のように、ガイド突起部を、ゴルフバック載置面上でその位置が変更可能なように形成すれば、様々な大きさのゴルフバックにも適用可能である。
【００７５】
また、上述した一実施形態の第２変形例と等価的な構成として、ガイド突起部を取り付けない構成とした上述した実施形態において、第２変形例において示したような移動可能なガイド突起部のように、位置決め用突起部又は磁石取り付け部をゴルフバック載置面に対して移動可能に設けることによって、様々な大きさのゴルフバックに適用可能となる。具体的には、位置決め用突起部と磁石との間の距離を変更することができるように、ゴルフバックがゴルフバック載置面からずれる方向と対応する方向に位置決め用突起部をずらしてゴルフバック載置面上の任意の位置で固定できるようにしても良い。
【００７６】
また、上述の実施形態及びその各変形例においては、ゴルフバック載置部に磁石を、対向するゴルフバック底部に着磁部をなし、この磁力による磁石と着磁部との結合を介してゴルフバックを台車に固定する方法として解説した。しかし、これとは反対にゴルフバック固定載置部に着磁部（図示せず）を備え、ゴルフバック底部に磁石（図示せず）を備えた構成としても同様の効果を奏することが可能である。
【００７７】
また、着磁部には、対向するゴルフバック載置部に取り付けられた磁石と反対の極、（即ち、Ｎ極の磁石に対してＳ極が対向するように配置される磁石による着磁部、又はその逆）をなす磁石を用いても良い。
【００７８】
なお、上述した磁石においては、一例として直径が４センチメートルのフェライト磁石を用いたが、この代わりにネオジウム磁石を用いれば、直径２センチメートルの磁石で代用することができる。このことより、上述した本発明の作用を発揮するに当たって、様々な寸法の磁石を用いることが可能であることが分かる。なお、上述した第２変形例の３つの磁石を並べる構成においては、一例として直径２センチメートルのネオジウム磁石を用いた構成とすれば、載置板の幅及び長さも必要とせず、コンパクトな構成にすることが可能である。
【００７９】
また、同様に、上述した構成においては、磁石をゴルフバック載置部及びゴルフバック底部の中央に配置する構成を主として記載したが、例えば各磁石の磁石及び着磁部を複数個、ゴルフバック載置部中心から所定距離離間した位置に周方向に所定間隔で配置しても良い。即ち、上述した本発明の作用を発揮することができれば、磁石及び着磁部の数、位置、大きさは任意に変更することが可能である。
【００８０】
また、取っ手となるゴルフバック載置板端部に形成された孔は、必ずしも必要ではなく、孔ではなく突起部または溝として形成されても良い。
【符号の説明】
【００８１】
１０    ゴルフバック
１０ａ    ゴルフバック底面
１１    着磁部
１２    突起部
１００    ゴルフバック搬送用台車
１１０    ゴルフバック載置板
１１０ａ    ゴルフバック載置面
１１１    ゴルフバック載置部
１１２    磁石取り付け部
１２０    キャスタ
１４０    位置決め用突起部
１５０    磁石
１７０    取っ手
２００    ゴルフバック搬送用台車
２１０    ゴルフバック載置板
２１０ａ    ゴルフバック載置面
２１１    ゴルフバック載置部
２１２    磁石取り付け部
２２０    キャスタ
２４０    位置決め用突起部
２５０    磁石
２６０    ガイド突起部
２７０    取っ手
３００    ゴルフバック搬送用台車
３１０    ゴルフバック載置板
３１０ａ    ゴルフバック載置面
３１１    ゴルフバック載置部
３１２    磁石取り付け部
３２０    キャスタ
３４０    位置決め用突起部
３５０    磁石
３６０    ガイド突起部
３７０    取っ手
４００    ゴルフバック搬送用台車
４１０    ゴルフバック載置板
４１０ａ    ゴルフバック載置面
４１１    ゴルフバック載置部
４１２    磁石取り付け部
４１５    凹み部
４２０    キャスタ
４４０    位置決め用突起部
４５０    磁石
４６０    ガイド突起部
４７０    取っ手
【図１】
2011055968.tif 000003
【図２】
2011055968.tif 000004
【図３】
2011055968.tif 000005
【図４】
2011055968.tif 000006
【図５】
2011055968.tif 000007
【図６】
2011055968.tif 000008
【図７】
2011055968.tif 000009
【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
ゴルフバックを載置する台車上面を有するゴルフバック載置板と、前記ゴルフバック載置板の下面の少なくとも異なる三箇所に取り付けられた自在キャスタとを有するゴルフバック搬送用台車において、
前記台車上面にゴルフバックの底部を載置するゴルフバック底部固定用載置部を備え、
前記ゴルフバック底部固定用載置部の一部に磁石が設けられ、前記台車上面には底部に着磁用金属部が設けられたゴルフバックの当該着磁用金属部を前記ゴルフバック底部固定用載置部の磁石に当接させる位置決め部を備え、
前記台車上面は、前記ゴルフバックの底部を前記位置決め部から前記台車上面に沿ってずらすことができるようになっており、
前記位置決め部を介して、前記ゴルフバック底部固定用載置部の磁石に前記ゴルフバック底部の着磁用金属部を当接させることで、前記ゴルフバック底部固定用載置部の磁石の磁力を介して前記磁石と前記着磁用金属部とを結合させて前記ゴルフバックを台車に固定すると共に、
前記ゴルフバックの着磁用金属部が前記ゴルフバック底部固定用載置部の磁石から離間するように前記ゴルフバック底部を前記台車上面に沿ってずらすことで、前記着磁用金属部に及ぼす前記磁石の磁力による拘束を解放し、前記ゴルフバックをゴルフバック搬送用台車から引き離すことを可能とすることを特徴とするゴルフバック搬送用台車。
【請求項２】
ゴルフバックを載置する台車上面を有するゴルフバック載置板と、前記ゴルフバック載置板の下面の少なくとも異なる三箇所に取り付けられた自在キャスタとを有するゴルフバック搬送用台車において、
前記台車上面にゴルフバックの底部を載置するゴルフバック底部固定用載置部を備え、
前記ゴルフバック底部固定用載置部の一部に着磁用金属部が設けられ、前記台車上面には底部に磁石が設けられたゴルフバックの当該磁石を前記ゴルフバック底部固定用載置部の着磁用金属部に当接させる位置決め部を備え、
前記台車上面は、前記ゴルフバックの底部を前記位置決め部から前記台車上面に沿ってずらすことができるようになっており、
前記位置決め部を介して、前記ゴルフバック底部固定用載置部の着磁用金属部に前記ゴルフバック底部の磁石を当接させることで、前記ゴルフバック底部の磁石の磁力を介して前記磁石と前記着磁用金属部とを結合させて前記ゴルフバックを台車に固定すると共に、
前記ゴルフバック底部の磁石が前記ゴルフバック底部固定用載置部の着磁用金属部から離間するように前記ゴルフバック底部を前記台車上面に沿ってずらすことで、前記着磁用金属部に及ぼす前記磁石の磁力による拘束を解放し、前記ゴルフバックをゴルフバック搬送用台車から引き離すことを可能とすることを特徴とするゴルフバック搬送用台車。
【請求項３】
前記ゴルフバックの着磁用金属部を前記ゴルフバック底部固定用載置部の磁石から離間するように、又は前記ゴルフバックの磁石を前記ゴルフバック底部固定用載置部の着磁用金属部から離間するようにずらすためのガイド部が前記台車上面に備わっていることを特徴とする、請求項１又は請求項２に記載のゴルフバック搬送用台車。
【請求項４】
前記ガイド部は、前記ゴルフバックの着磁用金属部を前記ゴルフバック底部固定用載置部の磁石から所定方向に離間させるように、又は前記ゴルフバック底部の磁石を前記ゴルフバック底部固定用載置部の着磁用金属部から所定方向に離間させるように台車上面上に形成された２本の互いに延在する凸部からなり、
前記位置決め部も、前記台車上面上に形成された突起部からなることを特徴とする、請求項１乃至請求項３に記載のゴルフバック搬送用台車。
【請求項５】
前記２本のガイド部の間隔を前記ゴルフバックの底部の大きさに合わせて変更して固定可能とし、
前記ゴルフバック底部固定用載置部に備わった前記磁石又は着磁用金属部の前記位置決め部からの距離を前記ゴルフバック底部の大きさに合わせて変更して固定可能とすることを特徴とする、請求項４に記載のゴルフバック搬送用台車。
【請求項６】
請求項１乃至請求項３に記載のゴルフバック搬送用台車において、
台車上面の所定位置に凹み部が形成され、前記凹み部の互いに離間して延在する側壁面が前記ガイド部をなし、前記ゴルフバックが前記凹み部の底面の少なくとも一部によって支持されると共に、当該底面の一部がゴルフバック底部固定用載置部をなし、かつ前記凹み部の一端が前記ゴルフバック載置板の何れかの側壁において開口しており、前記凹み部の他端側壁が前記位置決め部をなしていることを特徴とする、請求項１乃至請求項３に記載のゴルフバック搬送用台車。
【請求項７】
請求項１に記載のゴルフバック搬送用台車によって搬送されるゴルフバックであって、
当該ゴルフバック底部に着磁用金属部が備わったことを特徴とするゴルフバック。
【請求項８】
請求項２に記載のゴルフバック搬送用台車によって搬送されるゴルフバックであって、
当該ゴルフバック底部に磁石が備わったことを特徴とするゴルフバック。
【請求項９】
請求項７に記載の着磁用金属部であって、既存のゴルフバックに後付け可能なことを特徴とする着磁用金属部。
【手続補正２】
【補正対象書類名】明細書
【補正対象項目名】００１４
【補正方法】変更
【補正の内容】
【００１４】
上述した課題を解決するために、本発明の請求項１に係るゴルフバック搬送用台車は、
ゴルフバックを載置する台車上面を有するゴルフバック載置板と、前記ゴルフバック載置板の下面の少なくとも異なる三箇所に取り付けられた自在キャスタとを有するゴルフバック搬送用台車において、
前記台車上面にゴルフバックの底部を載置するゴルフバック底部固定用載置部を備え、
前記ゴルフバック底部固定用載置部の一部に磁石が設けられ、前記台車上面には底部に着磁用金属部が設けられたゴルフバックの当該着磁用金属部を前記ゴルフバック底部固定用載置部の磁石に当接させる位置決め部を備え、
前記台車上面は、前記ゴルフバックの底部を前記位置決め部から前記台車上面に沿ってずらすことができるようになっており、
前記位置決め部を介して、前記ゴルフバック底部固定用載置部の磁石に前記ゴルフバック底部の着磁用金属部を当接させることで、前記ゴルフバック底部固定用載置部の磁石の磁力を介して前記磁石と前記着磁用金属部とを結合させて前記ゴルフバックを台車に固定すると共に、
前記ゴルフバックの着磁用金属部が前記ゴルフバック底部固定用載置部の磁石から離間するように前記ゴルフバック底部を前記台車上面に沿ってずらすことで、前記着磁用金属部に及ぼす前記磁石の磁力による拘束を解放し、前記ゴルフバックをゴルフバック搬送用台車から引き離すことを可能とすることを特徴としている。
【手続補正３】
【補正対象書類名】明細書
【補正対象項目名】００１５
【補正方法】変更
【補正の内容】
【００１５】
請求項１に係るゴルフバック搬送用台車によると、ゴルフバック底部に設けられた着磁用金属部を台車上面のゴルフバック底部固定用載置部に設けられた磁石に当接させるだけで、ゴルフバックを台車にしっかりと固定できるようになっている。そのため、台車を地面に置いて、ゴルフバックを担いだままの姿勢で屈むことなく単に台車に載せるだけで、ゴルフバックを立てたままの状態で台車に簡単に固定することができる。
【手続補正４】
【補正対象書類名】明細書
【補正対象項目名】００１７
【補正方法】変更
【補正の内容】
【００１７】
また、ゴルフバックを台車ごと横にすることで、ゴルフバックの自重を利用してゴルフバックの着磁用金属部をゴルフバック底部固定用載置部の磁石からずらし、ゴルフバックの磁石による台車との拘束を解除することで、余計な手間をかけることなく台車をゴルフバックから簡単に外すことができる。これによって、例えば車のトランクルームなどにゴルフバックと台車を収納する際に、台車に固定したままゴルフバックを持ち上げ、ゴルフバックの着磁用金属部が磁石からずれるような向きに載せるだけで、ゴルフバック自体の重みを利用して台車をゴルフバックから簡単に外すことができる。これによって、ゴルフバックとは別に台車をトランクルームに収納することができる。
【手続補正５】
【補正対象書類名】明細書
【補正対象項目名】００１９
【補正方法】変更
【補正の内容】
【００１９】
また、本発明の請求項２に係るゴルフバック搬送用台車は、
ゴルフバックを載置する台車上面を有するゴルフバック載置板と、前記ゴルフバック載置板の下面の少なくとも異なる三箇所に取り付けられた自在キャスタとを有するゴルフバック搬送用台車において、
前記台車上面にゴルフバックの底部を載置するゴルフバック底部固定用載置部を備え、
前記ゴルフバック底部固定用載置部の一部に着磁用金属部が設けられ、前記台車上面には底部に磁石が設けられたゴルフバックの当該磁石を前記ゴルフバック底部固定用載置部の着磁用金属部に当接させる位置決め部を備え、
前記台車上面は、前記ゴルフバックの底部を前記位置決め部から前記台車上面に沿ってずらすことができるようになっており、
前記位置決め部を介して、前記ゴルフバック底部固定用載置部の着磁用金属部に前記ゴルフバック底部の磁石を当接させることで、前記ゴルフバック底部の磁石の磁力を介して前記磁石と前記着磁用金属部とを結合させて前記ゴルフバックを台車に固定すると共に、
前記ゴルフバック底部の磁石が前記ゴルフバック底部固定用載置部の着磁用金属部から離間するように前記ゴルフバック底部を前記台車上面に沿ってずらすことで、前記着磁用金属部に及ぼす前記磁石の磁力による拘束を解放し、前記ゴルフバックをゴルフバック搬送用台車から引き離すことを可能とすることを特徴としている。
【手続補正６】
【補正対象書類名】明細書
【補正対象項目名】００２０
【補正方法】変更
【補正の内容】
【００２０】
請求項２に係るゴルフバック搬送用台車によると、ゴルフバック底部に設けられた磁石を台車上面のゴルフバック底部固定用載置部に設けられた着磁用金属部に当接させるだけで、ゴルフバックを台車にしっかりと固定できるようになっている。そのため、台車を地面に置いて、ゴルフバックを担いだままの姿勢で屈むことなく単に台車に載せるだけで、ゴルフバックを立てたままの状態で台車に簡単に固定することができる。
【手続補正７】
【補正対象書類名】明細書
【補正対象項目名】００２１
【補正方法】変更
【補正の内容】
【００２１】
また、磁石と着磁用金属部を介してゴルフバックを台車に固定することで、例えばゴルフ練習場やゴルフ場の駐車場等においてゴルフバックを搬送中、段差や突起物があるような場所や階段等でゴルフバックを持ち上げて運ぶ際に、台車とゴルフバックを一緒に持ち上げることができる。その結果、台車をわざわざゴルフバックと別に持ち上げて運び、その後にゴルフバックを台車に載せ直すような手間を必要とせず、ゴルフバックを台車ごと楽に運ぶことが可能となる。
【手続補正８】
【補正対象書類名】明細書
【補正対象項目名】００２３
【補正方法】変更
【補正の内容】
【００２３】
また、上述した構成により、単にゴルフバックを台車ごと持ち上げ横にして所定位置に置くだけで、ゴルフバックの磁石をゴルフバック底部固定用載置部の着磁用金属部からずらしゴルフバック底部の磁石による台車との拘束を解除することができる。これによって、例えば車のトランクルームなどにゴルフバックと台車を収納する際に、台車に固定したままゴルフバックを持ち上げ、ゴルフバックの磁石が着磁用金属部からずれるような向きに載せるだけで、ゴルフバック自体の重みを利用して台車をゴルフバックから簡単に外すことができる。これによって、ゴルフバックとは別に台車をトランクルームに収納することができる。
【手続補正９】
【補正対象書類名】明細書
【補正対象項目名】００２６
【補正方法】変更
【補正の内容】
【００２６】
また、本発明の請求項３に係るゴルフバック搬送用台車は、請求項１又は請求項２に係るゴルフバック搬送用台車において、
前記ゴルフバックの着磁用金属部を前記ゴルフバック底部固定用載置部の磁石から離間するように、又は前記ゴルフバックの磁石を前記ゴルフバック底部固定用載置部の着磁用金属部から離間するようにずらすためのガイド部が前記台車上面に備わっていることを特徴としている。
【手続補正１０】
【補正対象書類名】明細書
【補正対象項目名】００２７
【補正方法】変更
【補正の内容】
【００２７】
請求項３に係るゴルフバック搬送用台車によると、台車に固定したゴルフバックを車のトランクルームに載せる際に、台車の台車上面に設けられたガイド部を位置決め部よりも下にしてトランクルームの底面に横に置き、ゴルフバックの自重を利用してゴルフバック底部と台車のゴルフバック底部固定用載置部に設けられた磁石と着磁用金属部をガイド部に沿って正確にずらしてゴルフバックを台車から外すことができる。
【手続補正１１】
【補正対象書類名】明細書
【補正対象項目名】００２９
【補正方法】変更
【補正の内容】
【００２９】
また、本発明の請求項４に係るゴルフバック搬送用台車は、請求項１乃至請求項３に係るゴルフバック搬送用台車において、
前記ガイド部は、前記ゴルフバックの着磁用金属部を前記ゴルフバック底部固定用載置部の磁石から所定方向に離間させるように、又は前記ゴルフバック底部の磁石を前記ゴルフバック底部固定用載置部の着磁用金属部から所定方向に離間させるように台車上面上に形成された２本の互いに延在する凸部からなり、
前記位置決め部も、前記台車上面上に形成された突起部からなることを特徴としている。
【手続補正１２】
【補正対象書類名】明細書
【補正対象項目名】００３１
【補正方法】変更
【補正の内容】
【００３１】
また、本発明の請求項５に係るゴルフバック搬送用台車は、請求項４に記載のゴルフバック搬送用台車において、
前記２本のガイド部の間隔を前記ゴルフバックの底部の大きさに合わせて変更して固定可能とし、
前記ゴルフバック底部固定用載置部に備わった前記磁石又は着磁用金属部の前記位置決め部からの距離を前記ゴルフバック底部の大きさに合わせて変更して固定可能とすることを特徴としている。
【手続補正１３】
【補正対象書類名】明細書
【補正対象項目名】００３４
【補正方法】変更
【補正の内容】
【００３４】
また、本発明の請求項６に係るゴルフバック搬送用台車は、請求項１乃至請求項３に記載のゴルフバック搬送用台車において、
台車上面の所定位置に凹み部が形成され、前記凹み部の互いに離間して延在する側壁面が前記ガイド部をなし、前記ゴルフバックが前記凹み部の底面の少なくとも一部によって支持されると共に、当該底面の一部がゴルフバック底部固定用載置部をなし、かつ前記凹み部の一端が前記ゴルフバック載置板の何れかの側壁において開口しており、前記凹み部の他端側壁が前記位置決め部をなしていることを特徴としている。
【手続補正１４】
【補正対象書類名】明細書
【補正対象項目名】００３５
【補正方法】変更
【補正の内容】
【００３５】
請求項６に係るゴルフバック搬送用台車によっても、既存の台車とゴルフバックに簡単な加工を施すことによって、請求項１乃至３のゴルフバック搬送用台車に係る効果を得ることが可能となる。このため、既存の構成部品をそのまま利用でき、コスト低減に貢献する。また、ゴルフバック底部固定用載置部の位置決め部及びガイド部が凸部でなく凹み部から構成されているため、台車が痛み難い。
【手続補正１５】
【補正対象書類名】明細書
【補正対象項目名】００３６
【補正方法】変更
【補正の内容】
【００３６】
また、本発明の請求項７に係るゴルフバックは、
請求項１に記載のゴルフバック搬送用台車によって搬送されるゴルフバックであって、
当該ゴルフバック底部に着磁用金属部が備わったことを特徴としている。
【手続補正１６】
【補正対象書類名】明細書
【補正対象項目名】００３７
【補正方法】変更
【補正の内容】
【００３７】
また、本発明の請求項８に係るゴルフバックは、
請求項２に記載のゴルフバック搬送用台車によって搬送されるゴルフバックであって、
当該ゴルフバック底部に磁石が備わったことを特徴としている。
【手続補正１７】
【補正対象書類名】明細書
【補正対象項目名】００３８
【補正方法】変更
【補正の内容】
【００３８】
また、本発明の請求項９に係る着磁用金属部は、
請求項７に記載の着磁用金属部であって、既存のゴルフバックに後付け可能なことを特徴としている。
【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
ゴルフバックを載置する台車上面を有するゴルフバック載置板と、前記ゴルフバック載置板の下面の少なくとも異なる三箇所に取り付けられた自在キャスタとを有するゴルフバック搬送用台車において、
前記台車上面にゴルフバックの底部を載置するゴルフバック底部固定用載置部を備え、
前記ゴルフバック底部固定用載置部の一部に磁石が設けられ、前記台車上面には底部に着磁用金属部が設けられたゴルフバックの当該着磁用金属部を前記ゴルフバック底部固定用載置部の磁石に当接させる位置決め部を備え、
前記台車上面は、前記ゴルフバックの底部を前記位置決め部から前記台車上面に沿ってずらすことができるようになっており、
前記位置決め部を介して、前記ゴルフバック底部固定用載置部の磁石に前記ゴルフバック底部の着磁用金属部を当接させることで、前記ゴルフバック底部固定用載置部の磁石の磁力を介して前記磁石と前記着磁用金属部とを結合させて前記ゴルフバックを台車に固定すると共に、
前記ゴルフバックの着磁用金属部が前記ゴルフバック底部固定用載置部の磁石から離間するように前記ゴルフバック底部を前記台車上面に沿ってずらすことで、前記着磁用金属部に及ぼす前記磁石の磁力による拘束を解放し、前記ゴルフバックをゴルフバック搬送用台車から引き離すことを可能とするゴルフバック搬送用台車であって、
前記ゴルフバックの着磁用金属部を前記ゴルフバック底部固定用載置部の磁石から離間するようにずらすためのガイド部が前記台車上面に備わり、
前記ガイド部は、前記ゴルフバックの着磁用金属部を前記ゴルフバック底部固定用載置部の磁石から所定方向に離間させるように台車上面上に形成された２本の互いに延在する凸部からなり、
前記２本の凸部は平行に延在し、かつ各凸部の間隔は前記ゴルフバックの底部の大きさに合わせた間隔に設けられ、
前記位置決め部も、前記台車上面上に形成された突起部からなり、当該突起部は、前記各凸部に挟まれた状態で前記台車上面に載せられたゴルフバック底部を当該突起部に突き当てた時に、前記ゴルフバックの着磁用金属部が前記ゴルフバック底部固定用載置部の磁石に当接するように設けられたことを特徴とするゴルフバック搬送用台車。
【請求項２】
ゴルフバックを載置する台車上面を有するゴルフバック載置板と、前記ゴルフバック載置板の下面の少なくとも異なる三箇所に取り付けられた自在キャスタとを有するゴルフバック搬送用台車において、
前記台車上面にゴルフバックの底部を載置するゴルフバック底部固定用載置部を備え、
前記ゴルフバック底部固定用載置部の一部に着磁用金属部が設けられ、前記台車上面には底部に磁石が設けられたゴルフバックの当該磁石を前記ゴルフバック底部固定用載置部の着磁用金属部に当接させる位置決め部を備え、
前記台車上面は、前記ゴルフバックの底部を前記位置決め部から前記台車上面に沿ってずらすことができるようになっており、
前記位置決め部を介して、前記ゴルフバック底部固定用載置部の着磁用金属部に前記ゴルフバック底部の磁石を当接させることで、前記ゴルフバック底部の磁石の磁力を介して前記磁石と前記着磁用金属部とを結合させて前記ゴルフバックを台車に固定すると共に、
前記ゴルフバック底部の磁石が前記ゴルフバック底部固定用載置部の着磁用金属部から離間するように前記ゴルフバック底部を前記台車上面に沿ってずらすことで、前記着磁用金属部に及ぼす前記磁石の磁力による拘束を解放し、前記ゴルフバックをゴルフバック搬送用台車から引き離すことを可能とするゴルフバック搬送用台車であって、
前記ゴルフバックの磁石を前記ゴルフバック底部固定用載置部の着磁用金属部から離間するようにずらすためのガイド部が前記台車上面に備わり、
前記ガイド部は、前記ゴルフバック底部の磁石を前記ゴルフバック底部固定用載置部の着磁用金属部から所定方向に離間させるように台車上面上に形成された２本の互いに延在する凸部からなり、
前記２本の凸部は平行に延在し、かつ各凸部の間隔は前記ゴルフバックの底部の大きさに合わせた間隔に設けられ、
前記位置決め部も、前記台車上面上に形成された突起部からなり、当該突起部は、前記各凸部に挟まれた状態で前記台車上面に載せられたゴルフバック底部を当該突起部に突き当てた時に、前記ゴルフバック底部の磁石が前記ゴルフバック底部固定用載置部の着磁用金属部に当接するように設けられたことを特徴とするゴルフバック搬送用台車。
【請求項３】
ゴルフバックを載置する台車上面を有するゴルフバック載置板と、前記ゴルフバック載置板の下面の少なくとも異なる三箇所に取り付けられた自在キャスタとを有するゴルフバック搬送用台車において、
前記台車上面にゴルフバックの底部を載置するゴルフバック底部固定用載置部を備え、
前記ゴルフバック底部固定用載置部の一部に磁石が設けられ、前記台車上面には底部に着磁用金属部が設けられたゴルフバックの当該着磁用金属部を前記ゴルフバック底部固定用載置部の磁石に当接させる位置決め部を備え、
前記台車上面は、前記ゴルフバックの底部を前記位置決め部から前記台車上面に沿ってずらすことができるようになっており、
前記位置決め部を介して、前記ゴルフバック底部固定用載置部の磁石に前記ゴルフバック底部の着磁用金属部を当接させることで、前記ゴルフバック底部固定用載置部の磁石の磁力を介して前記磁石と前記着磁用金属部とを結合させて前記ゴルフバックを台車に固定すると共に、
前記ゴルフバックの着磁用金属部が前記ゴルフバック底部固定用載置部の磁石から離間するように前記ゴルフバック底部を前記台車上面に沿ってずらすことで、前記着磁用金属部に及ぼす前記磁石の磁力による拘束を解放し、前記ゴルフバックをゴルフバック搬送用台車から引き離すことを可能とするゴルフバック搬送用台車であって、
前記ゴルフバックの着磁用金属部を前記ゴルフバック底部固定用載置部の磁石から離間するようにずらすためのガイド部が前記台車上面に備わり、
前記台車上面の所定位置に凹み部が形成され、前記凹み部の互いに離間して延在する側壁面が互いに平行してかつ互いの間隔が前記ゴルフバックの底部の大きさに合わせた間隔となることで前記ガイド部をなし、前記ゴルフバックが前記凹み部の底面の少なくとも一部によって支持されると共に、当該底面の一部がゴルフバック底部固定用載置部をなし、かつ前記凹み部の一端が前記ゴルフバック載置板の何れかの側壁において開口しており、前記凹み部の上記側壁と異なる他端側壁であって前記ゴルフバック底部の形状に合わせた他端側壁が前記位置決め部をなし、
前記ガイド部をなす凹み部に嵌った状態で前記台車上面に載せられたゴルフバック底部を当該位置決め部突き当てることで、前記ゴルフバック底部の着磁用金属部が前記ゴルフバック底部固定用載置部の磁石に当接するようになったことを特徴とするゴルフバック搬送用台車。
【請求項４】
ゴルフバックを載置する台車上面を有するゴルフバック載置板と、前記ゴルフバック載置板の下面の少なくとも異なる三箇所に取り付けられた自在キャスタとを有するゴルフバック搬送用台車において、
前記台車上面にゴルフバックの底部を載置するゴルフバック底部固定用載置部を備え、
前記ゴルフバック底部固定用載置部の一部に着磁用金属部が設けられ、前記台車上面には底部に磁石が設けられたゴルフバックの当該磁石を前記ゴルフバック底部固定用載置部の着磁用金属部に当接させる位置決め部を備え、
前記台車上面は、前記ゴルフバックの底部を前記位置決め部から前記台車上面に沿ってずらすことができるようになっており、
前記位置決め部を介して、前記ゴルフバック底部固定用載置部の着磁用金属部に前記ゴルフバック底部の磁石を当接させることで、前記ゴルフバック底部の磁石の磁力を介して前記磁石と前記着磁用金属部とを結合させて前記ゴルフバックを台車に固定すると共に、
前記ゴルフバック底部の磁石が前記ゴルフバック底部固定用載置部の着磁用金属部から離間するように前記ゴルフバック底部を前記台車上面に沿ってずらすことで、前記着磁用金属部に及ぼす前記磁石の磁力による拘束を解放し、前記ゴルフバックをゴルフバック搬送用台車から引き離すことを可能とするゴルフバック搬送用台車であって、
前記ゴルフバックの磁石を前記ゴルフバック底部固定用載置部の着磁用金属部から離間するようにずらすためのガイド部が前記台車上面に備わり、
前記台車上面の所定位置に凹み部が形成され、前記凹み部の互いに離間して延在する側壁面が互いに平行してかつ互いの間隔が前記ゴルフバックの底部の大きさに合わせた間隔となることで前記ガイド部をなし、前記ゴルフバックが前記凹み部の底面の少なくとも一部によって支持されると共に、当該底面の一部がゴルフバック底部固定用載置部をなし、かつ前記凹み部の一端が前記ゴルフバック載置板の何れかの側壁において開口しており、前記凹み部の上記側壁と異なる他端側壁であって前記ゴルフバック底部の形状に合わせた他端側壁が前記位置決め部をなし、
前記ガイド部をなす凹み部に嵌った状態で前記台車上面に載せられたゴルフバック底部を当該位置決め部突き当てることで、前記ゴルフバック底部の磁石が前記ゴルフバック底部固定用載置部の着磁用金属部に当接するようになったことを特徴とするゴルフバック搬送用台車。
【請求項５】
前記２本のガイド部の間隔を前記ゴルフバックの底部の大きさに合わせて変更して固定可能とし、
前記ゴルフバック底部固定用載置部に備わった前記磁石又は着磁用金属部の前記位置決め部からの距離を前記ゴルフバック底部の大きさに合わせて変更して固定可能とすることを特徴とする、請求項１又は請求項２に記載のゴルフバック搬送用台車。
【請求項６】
請求項１又は請求項３に記載のゴルフバック搬送用台車によって搬送されるゴルフバックであって、
当該ゴルフバック底部に着磁用金属部が備わったことを特徴とするゴルフバック。
【請求項７】
請求項２又は請求項４に記載のゴルフバック搬送用台車によって搬送されるゴルフバックであって、
当該ゴルフバック底部に磁石が備わったことを特徴とするゴルフバック。
【請求項８】
請求項６に記載の着磁用金属部であって、既存のゴルフバックに後付け可能なことを特徴とする着磁用金属部。
【手続補正２】
【補正対象書類名】明細書
【補正対象項目名】００１４
【補正方法】変更
【補正の内容】
【００１４】
上述した課題を解決するために、本発明の請求項１に係るゴルフバック搬送用台車は、
ゴルフバックを載置する台車上面を有するゴルフバック載置板と、前記ゴルフバック載置板の下面の少なくとも異なる三箇所に取り付けられた自在キャスタとを有するゴルフバック搬送用台車において、
前記台車上面にゴルフバックの底部を載置するゴルフバック底部固定用載置部を備え、
前記ゴルフバック底部固定用載置部の一部に磁石が設けられ、前記台車上面には底部に着磁用金属部が設けられたゴルフバックの当該着磁用金属部を前記ゴルフバック底部固定用載置部の磁石に当接させる位置決め部を備え、
前記台車上面は、前記ゴルフバックの底部を前記位置決め部から前記台車上面に沿ってずらすことができるようになっており、
前記位置決め部を介して、前記ゴルフバック底部固定用載置部の磁石に前記ゴルフバック底部の着磁用金属部を当接させることで、前記ゴルフバック底部固定用載置部の磁石の磁力を介して前記磁石と前記着磁用金属部とを結合させて前記ゴルフバックを台車に固定すると共に、
前記ゴルフバックの着磁用金属部が前記ゴルフバック底部固定用載置部の磁石から離間するように前記ゴルフバック底部を前記台車上面に沿ってずらすことで、前記着磁用金属部に及ぼす前記磁石の磁力による拘束を解放し、前記ゴルフバックをゴルフバック搬送用台車から引き離すことを可能とするゴルフバック搬送用台車であって、
前記ゴルフバックの着磁用金属部を前記ゴルフバック底部固定用載置部の磁石から離間するようにずらすためのガイド部が前記台車上面に備わり、
前記ガイド部は、前記ゴルフバックの着磁用金属部を前記ゴルフバック底部固定用載置部の磁石から所定方向に離間させるように台車上面上に形成された２本の互いに延在する凸部からなり、
前記２本の凸部は平行に延在し、かつ各凸部の間隔はゴルフバックの底部の大きさに合わせた間隔に設けられ、
前記位置決め部も、前記台車上面上に形成された突起部からなり、当該突起部は、前記各凸部に挟まれた状態で前記台車上面に載せられたゴルフバック底部を当該突起部に突き当てた時に、前記ゴルフバックの着磁用金属部が前記ゴルフバック底部固定用載置部の磁石に当接するように設けられたことを特徴としている。
【手続補正３】
【補正対象書類名】明細書
【補正対象項目名】００１８
【補正方法】変更
【補正の内容】
【００１８】
その結果、台車の角でトランクルームを傷つけたり、台車の自在キャスタについた土等でトランクルームを汚したりする虞がなくなる。また、例えばトランクルームの片隅等、収納し易い場所に台車を簡単に収納することが可能となる。
また、台車に固定したゴルフバックを車のトランクルームに載せる際に、台車の台車上面に設けられたガイド部を位置決め部よりも下にしてトランクルームの底面に横に置き、ゴルフバックの自重を利用してゴルフバック底部と台車のゴルフバック底部固定用載置部に設けられた磁石と着磁用金属部をガイド部に沿って正確にずらしてゴルフバックを台車から外すことができる。
また、ゴルフバック搬送用台車にゴルフバックを載せる際に、ガイド部と位置決め部があることにより、ゴルフバックのより正確な位置決めをすることができる。
【手続補正４】
【補正対象書類名】明細書
【補正対象項目名】００１９
【補正方法】変更
【補正の内容】
【００１９】
また、本発明の請求項２に係るゴルフバック搬送用台車は、
ゴルフバックを載置する台車上面を有するゴルフバック載置板と、前記ゴルフバック載置板の下面の少なくとも異なる三箇所に取り付けられた自在キャスタとを有するゴルフバック搬送用台車において、
前記台車上面にゴルフバックの底部を載置するゴルフバック底部固定用載置部を備え、
前記ゴルフバック底部固定用載置部の一部に着磁用金属部が設けられ、前記台車上面には底部に磁石が設けられたゴルフバックの当該磁石を前記ゴルフバック底部固定用載置部の着磁用金属部に当接させる位置決め部を備え、
前記台車上面は、前記ゴルフバックの底部を前記位置決め部から前記台車上面に沿ってずらすことができるようになっており、
前記位置決め部を介して、前記ゴルフバック底部固定用載置部の着磁用金属部に前記ゴルフバック底部の磁石を当接させることで、前記ゴルフバック底部の磁石の磁力を介して前記磁石と前記着磁用金属部とを結合させて前記ゴルフバックを台車に固定すると共に、
前記ゴルフバック底部の磁石が前記ゴルフバック底部固定用載置部の着磁用金属部から離間するように前記ゴルフバック底部を前記台車上面に沿ってずらすことで、前記着磁用金属部に及ぼす前記磁石の磁力による拘束を解放し、前記ゴルフバックをゴルフバック搬送用台車から引き離すことを可能とするゴルフバック搬送用台車であって、
前記ゴルフバックの磁石を前記ゴルフバック底部固定用載置部の着磁用金属部から離間するようにずらすためのガイド部が前記台車上面に備わり、
前記ガイド部は、前記ゴルフバック底部の磁石を前記ゴルフバック底部固定用載置部の着磁用金属部から所定方向に離間させるように台車上面上に形成された２本の互いに延在する凸部からなり、
前記２本の凸部は平行に延在し、かつ各凸部の間隔は前記ゴルフバックの底部の大きさに合わせた間隔に設けられ、
前記位置決め部も、前記台車上面上に形成された突起部からなり、当該突起部は、前記各凸部に挟まれた状態で前記台車上面に載せられたゴルフバック底部を当該突起部に突き当てた時に、前記ゴルフバック底部の磁石が前記ゴルフバック底部固定用載置部の着磁用金属部に当接するように設けられたことを特徴としている。
【手続補正５】
【補正対象書類名】明細書
【補正対象項目名】００２５
【補正方法】変更
【補正の内容】
【００２５】
また、ゴルフバックを車のトランクルームに収容する際、駐車場で屈むような無理な姿勢をとってゴルフバックを台車から外すための余計な作業をする必要もない。
また、台車に固定したゴルフバックを車のトランクルームに載せる際に、台車の台車上面に設けられたガイド部を位置決め部よりも下にしてトランクルームの底面に横に置き、ゴルフバックの自重を利用してゴルフバック底部と台車のゴルフバック底部固定用載置部に設けられた磁石と着磁用金属部をガイド部に沿って正確にずらしてゴルフバックを台車から外すことができる。
また、ゴルフバック搬送用台車にゴルフバックを載せる際に、ガイド部と位置決め部があることにより、ゴルフバックのより正確な位置決めをすることができる。
【手続補正６】
【補正対象書類名】明細書
【補正対象項目名】００２６
【補正方法】変更
【補正の内容】
【００２６】
また、本発明の請求項３に係るゴルフバック搬送用台車は、
ゴルフバックを載置する台車上面を有するゴルフバック載置板と、前記ゴルフバック載置板の下面の少なくとも異なる三箇所に取り付けられた自在キャスタとを有するゴルフバック搬送用台車において、
前記台車上面にゴルフバックの底部を載置するゴルフバック底部固定用載置部を備え、
前記ゴルフバック底部固定用載置部の一部に磁石が設けられ、前記台車上面には底部に着磁用金属部が設けられたゴルフバックの当該着磁用金属部を前記ゴルフバック底部固定用載置部の磁石に当接させる位置決め部を備え、
前記台車上面は、前記ゴルフバックの底部を前記位置決め部から前記台車上面に沿ってずらすことができるようになっており、
前記位置決め部を介して、前記ゴルフバック底部固定用載置部の磁石に前記ゴルフバック底部の着磁用金属部を当接させることで、前記ゴルフバック底部固定用載置部の磁石の磁力を介して前記磁石と前記着磁用金属部とを結合させて前記ゴルフバックを台車に固定すると共に、
前記ゴルフバックの着磁用金属部が前記ゴルフバック底部固定用載置部の磁石から離間するように前記ゴルフバック底部を前記台車上面に沿ってずらすことで、前記着磁用金属部に及ぼす前記磁石の磁力による拘束を解放し、前記ゴルフバックをゴルフバック搬送用台車から引き離すことを可能とするゴルフバック搬送用台車であって、
前記ゴルフバックの着磁用金属部を前記ゴルフバック底部固定用載置部の磁石から離間するようにずらすためのガイド部が前記台車上面に備わり、
前記台車上面の所定位置に凹み部が形成され、前記凹み部の互いに離間して延在する側壁面が互いに平行してかつ互いの間隔が前記ゴルフバックの底部の大きさに合わせた間隔となることで前記ガイド部をなし、前記ゴルフバックが前記凹み部の底面の少なくとも一部によって支持されると共に、当該底面の一部がゴルフバック底部固定用載置部をなし、かつ前記凹み部の一端が前記ゴルフバック載置板の何れかの側壁において開口しており、前記凹み部の上記側壁と異なる他端側壁であって前記ゴルフバック底部の形状に合わせた他端側壁が前記位置決め部をなし、
前記ガイド部をなす凹み部に嵌った状態で前記台車上面に載せられたゴルフバック底部を当該位置決め部突き当てることで、前記ゴルフバック底部の着磁用金属部が前記ゴルフバック底部固定用載置部の磁石に当接するようになったことを特徴としている。
【手続補正７】
【補正対象書類名】明細書
【補正対象項目名】００２７
【補正方法】変更
【補正の内容】
【００２７】
請求項３に係るゴルフバック搬送用台車によると、既存の台車とゴルフバックに簡単な加工を施すことによって、請求項１や請求項２のゴルフバック搬送用台車に係る効果を得ることが可能となる。このため、既存の構成部品をそのまま利用でき、コスト低減に貢献する。また、ゴルフバック底部固定用載置部の位置決め部及びガイド部が凸部でなく凹み部から構成されているため、台車が痛み難い。
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】変更
【補正の内容】
【００２９】
また、本発明の請求項４に係るゴルフバック搬送用台車は、
ゴルフバックを載置する台車上面を有するゴルフバック載置板と、前記ゴルフバック載置板の下面の少なくとも異なる三箇所に取り付けられた自在キャスタとを有するゴルフバック搬送用台車において、
前記台車上面にゴルフバックの底部を載置するゴルフバック底部固定用載置部を備え、
前記ゴルフバック底部固定用載置部の一部に着磁用金属部が設けられ、前記台車上面には底部に磁石が設けられたゴルフバックの当該磁石を前記ゴルフバック底部固定用載置部の着磁用金属部に当接させる位置決め部を備え、
前記台車上面は、前記ゴルフバックの底部を前記位置決め部から前記台車上面に沿ってずらすことができるようになっており、
前記位置決め部を介して、前記ゴルフバック底部固定用載置部の着磁用金属部に前記ゴルフバック底部の磁石を当接させることで、前記ゴルフバック底部の磁石の磁力を介して前記磁石と前記着磁用金属部とを結合させて前記ゴルフバックを台車に固定すると共に、
前記ゴルフバック底部の磁石が前記ゴルフバック底部固定用載置部の着磁用金属部から離間するように前記ゴルフバック底部を前記台車上面に沿ってずらすことで、前記着磁用金属部に及ぼす前記磁石の磁力による拘束を解放し、前記ゴルフバックをゴルフバック搬送用台車から引き離すことを可能とするゴルフバック搬送用台車であって、
前記ゴルフバックの磁石を前記ゴルフバック底部固定用載置部の着磁用金属部から離間するようにずらすためのガイド部が前記台車上面に備わり、
前記台車上面の所定位置に凹み部が形成され、前記凹み部の互いに離間して延在する側壁面が互いに平行してかつ互いの間隔がゴルフバックの底部の大きさに合わせた間隔となることで前記ガイド部をなし、前記ゴルフバックが前記凹み部の底面の少なくとも一部によって支持されると共に、当該底面の一部がゴルフバック底部固定用載置部をなし、かつ前記凹み部の一端が前記ゴルフバック載置板の何れかの側壁において開口しており、前記凹み部の上記側壁と異なる他端側壁であって前記ゴルフバック底部の形状に合わせた他端側壁が前記位置決め部をなし、
前記ガイド部をなす凹み部に嵌った状態で前記台車上面に載せられたゴルフバック底部を当該位置決め部突き当てることで、前記ゴルフバック底部の磁石が前記ゴルフバック底部固定用載置部の着磁用金属部に当接するようになったことを特徴としている。
【手続補正１０】
【補正対象書類名】明細書
【補正対象項目名】００３０
【補正方法】変更
【補正の内容】
【００３０】
請求項４に係るゴルフバック搬送用台車によると、既存の台車とゴルフバックに簡単な加工を施すことによって、請求項１や請求項２のゴルフバック搬送用台車に係る効果を得ることが可能となる。このため、既存の構成部品をそのまま利用でき、コスト低減に貢献する。また、ゴルフバック底部固定用載置部の位置決め部及びガイド部が凸部でなく凹み部から構成されているため、台車が痛み難い。
【手続補正１１】
【補正対象書類名】明細書
【補正対象項目名】００３１
【補正方法】変更
【補正の内容】
【００３１】
また、本発明の請求項５に係るゴルフバック搬送用台車は、請求項１又は請求項２に記載のゴルフバック搬送用台車において、
前記２本のガイド部の間隔を前記ゴルフバックの底部の大きさに合わせて変更して固定可能とし、
前記ゴルフバック底部固定用載置部に備わった前記磁石又は着磁用金属部の前記位置決め部からの距離を前記ゴルフバック底部の大きさに合わせて変更して固定可能とすることを特徴としている。
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】００３６
【補正方法】変更
【補正の内容】
【００３６】
また、本発明の請求項６に係るゴルフバックは、
請求項１又は請求項３に記載のゴルフバック搬送用台車によって搬送されるゴルフバックであって、
当該ゴルフバック底部に着磁用金属部が備わったことを特徴としている。
【手続補正１５】
【補正対象書類名】明細書
【補正対象項目名】００３７
【補正方法】変更
【補正の内容】
【００３７】
また、本発明の請求項７に係るゴルフバックは、
請求項２又は請求項４に記載のゴルフバック搬送用台車によって搬送されるゴルフバックであって、
当該ゴルフバック底部に磁石が備わったことを特徴としている。
【手続補正１６】
【補正対象書類名】明細書
【補正対象項目名】００３８
【補正方法】変更
【補正の内容】
【００３８】
また、本発明の請求項８に係る着磁用金属部は、
請求項６に記載の着磁用金属部であって、既存のゴルフバックに後付け可能なことを特徴としている。
【手続補正１７】
【補正対象書類名】明細書
【補正対象項目名】００４０
【補正方法】変更
【補正の内容】
【００４０】
【図１】本発明の関連実施形態に係るゴルフバック搬送用台車の斜視図（図１（ａ））、台車の平面図（図１（ｂ））、及び側面図（図１（ｃ））である。
【図２】本発明の関連実施形態に係るゴルフバック搬送用台車によって搬送するゴルフバックの底面を示す平面図である。
【図３】本発明の関連実施形態に係るゴルフバック搬送用台車にゴルフバックを載せて移動させる状態を示す説明図である。
【図４】本発明の関連実施形態に係るゴルフバック搬送用台車からゴルフバックを外す際の状態を図４（ａ）から図４（ｄ）までに順を追って示した説明図である。
【図５】本発明の第１実施形態に係るゴルフバック搬送用台車の斜視図（図５（ａ））、台車の平面図（図５（ｂ））、及び側面図（図５（ｃ））である。
【図６】本発明の第２実施形態に係るゴルフバック搬送用台車の斜視図（図６（ａ））、台車の平面図（図６（ｂ））、及び側面図（図６（ｃ））である。
【図７】本発明の第３実施形態に係るゴルフバック搬送用台車の平面図（図７（ａ））、及び側面図（図７（ｂ））である。
【手続補正１８】
【補正対象書類名】明細書
【補正対象項目名】００４２
【補正方法】変更
【補正の内容】
【００４２】
以下、本発明の関連実施形態に係るゴルフバック搬送用台車１００について図面に基づいて説明する。図１は、本発明の関連実施形態に係るゴルフバック搬送用台車１００(以下、適宜単に「台車」とする。）の斜視図（図１（ａ））、台車１００の平面図（図１（ｂ））、及び側面図（図１（ｃ））である。本関連実施形態に係る台車１００は、図１に示すように、ゴルフバックを搭載するゴルフバック載置板１１０と、ゴルフバック載置板１１０の下面に取り付けられた４つの同型の自在キャスタ１２０とを有しており、ゴルフバック載置面１１０ａとなるゴルフバック載置部上面１１０ａには、ゴルフバック１０を載置して固定する位置を使用者に分かり易くするための位置決め用突起部（位置決め部）１４０と、ゴルフバックをゴルフバック載置部１１１に固定するための磁石１５０が備わっている。
【手続補正１９】
【補正対象書類名】明細書
【補正対象項目名】００４３
【補正方法】変更
【補正の内容】
【００４３】
ゴルフバック載置板１１０は、本関連実施形態においては、樹脂材など強度と成形性に優れた材質でできており、一定の厚みを有した平面視矩形の板材からなる。またゴルフバック載置面１１０ａは、ゴルフバック１０を載置するために適した形状と広さを有している。
【手続補正２０】
【補正対象書類名】明細書
【補正対象項目名】００４６
【補正方法】変更
【補正の内容】
【００４６】
なお、ゴルフバック固定載置部１１１は、一般に広く販売されている既存のゴルフバックの底部１０ｂに合致した形状の領域からなっている。例えば、本関連実施形態においては、ゴルフバック固定載置部１１１は８インチのゴルフバックを載せるのに適するように、平面視で直径２５センチメートルの円形形状をなしている。またゴルフバック固定載置部１１１の、位置決め用突起部１４０の取り付けられた側の端部側縁と反対側の端部側縁からゴルフバック載置部１１１までは、後述する磁石１５０の直径より少し大きい程度の間隔を有している。
【手続補正２１】
【補正対象書類名】明細書
【補正対象項目名】００４８
【補正方法】変更
【補正の内容】
【００４８】
磁石取り付け部１１２に取り付けられる磁石１５０は、ゴルフバック底部１０ｂに取り付けた着磁部１１に固定した状態でゴルフバック１０を持ち上げた際に、ゴルフバックに台車１００を固定した状態を安定に維持するために十分な磁力と大きさを有している。例えば、本関連実施形態においては、直径４センチメートルの円板形状を有しており、ゴルフバック１０に固定した台車１００を安定して持ち上げることが可能な程度の磁力を有している。
【手続補正２２】
【補正対象書類名】明細書
【補正対象項目名】００５０
【補正方法】変更
【補正の内容】
【００５０】
続いて、本発明の関連実施形態に係るゴルフバック搬送用台車１００によって搬送するゴルフバック１０について説明する。図２は、本発明の関連実施形態に係るゴルフバック搬送用台車１００によって搬送するゴルフバックの底面１０ｂを示す平面図である。ゴルフバックの底部中央には、前述したゴルフバック載置部１１１に取り付けられた磁石１５０に対応して、鉄等の磁力によって引き寄せられる性質を有する金属素材からなる着磁部１１が設けられている。着磁部１１は、前述した磁石１５０より大きい形状を有しており、ゴルフバック１０を位置決め用突起部１４０に位置合わせをしてゴルフバック載置部１１１に置くことによりゴルフバック固定載置部１１１に設けられた磁石１５０と着磁部１１がぴったりと合致するようになっている。また、既存のゴルフバックと同様に、ゴルフバック底部１０ｂの周方向に沿ってゴルフバック１０を地面に接地する細長の突起部１２が備わっている。
【手続補正２３】
【補正対象書類名】明細書
【補正対象項目名】００５１
【補正方法】変更
【補正の内容】
【００５１】
続いて、上述した関連実施形態に係るゴルフバック搬送用台車１００の作用について説明する。図３は、本発明の関連実施形態に係るゴルフバック搬送用台車１００にゴルフバックを載せて移動させる状態を示す説明図である。図３に示すように、本発明に係るゴルフバック搬送用台車１００を用いてゴルフバック１０を搬送するに当たって、最初に台車１００にゴルフバックを載置して固定する。この際、ゴルフバック載置面１１０ａに設けられた位置決め用突起部１４０にゴルフバック１０を合わせて、ゴルフバックを台車１００に載せる。なお、後述する台車１００とゴルフバック１０を取り外して例えば車のトランクルームの任意の場所に収納する際の利便性を考慮すると、ゴルフバック１０を台車１００に載せた際に、ゴルフバックの持ち手１３は、位置決め用突起部１４０と同じ向きに向いていることが望ましい。
【手続補正２４】
【補正対象書類名】明細書
【補正対象項目名】００５４
【補正方法】変更
【補正の内容】
【００５４】
また、従来のカムやクランプねじを使った機構によってもしっかりと台車とゴルフバックを固定することができるが、カム等によりゴルフバックの側面を無理に締め付け、ゴルフバックを傷めてしまう虞がある。しかしながら、本関連実施形態による台車１００を用いることによって、ゴルフバック底部１０ｂに取り付けた着磁部１１を介してゴルフバック１０を台車１００に固定するため、ゴルフバック自体に無理な力を加えることなくゴルフバック１０を台車１００に簡単に固定することができるようになる。従って、大切なゴルフバック１０を痛めずに長期間使用することができる。
【手続補正２５】
【補正対象書類名】明細書
【補正対象項目名】００５５
【補正方法】変更
【補正の内容】
【００５５】
また、図４は、本発明の関連実施形態に係るゴルフバック搬送用台車１００からゴルフバック１０を外す際の状態を示した説明図である。ゴルフバック１０の搬送が終了し、所定位置でゴルフバック１０を台車１００から外す際には、図４に示すように、台車１００に固定された状態のゴルフバック１０（図４（ａ）参照）の取っ手１３を持って持ち上げ、ゴルフバック１０を横にして（図４（ｂ）参照）、台車１００の位置決め用突起部が上になるような向き（図４（ｃ）の矢印Ｂに示す方向参照）で所定位置に置く（図４（ｃ）参照）。こうするだけで、ゴルフバック１０の自重により、ゴルフバックの着磁部１１がゴルフバック載置部の磁石１５０から図４（ｃ）に示す矢印Ｃの方向にずれてゴルフバック載置部１１１の磁石１５０によるゴルフバック１０との拘束が解除され、ゴルフバック１０から台車１００を簡単に外すことができる（図４（ｄ））。
【手続補正２６】
【補正対象書類名】明細書
【補正対象項目名】００５８
【補正方法】変更
【補正の内容】
【００５８】
続いて、本発明の第１実施形態に係るゴルフバック搬送用台車２００について説明する。なお、上述の関連実施形態と同等の構成については、対応する符号を付して詳細な説明を省略する。図５は、本発明の第１実施形態に係るゴルフバック搬送用台車２００の斜視図（図５（ａ））、台車２００の平面図（図５（ｂ））、及び側面図（図５（ｃ））である。
【手続補正２７】
【補正対象書類名】明細書
【補正対象項目名】００５９
【補正方法】変更
【補正の内容】
【００５９】
この第１実施形態においては、上述の関連実施形態のゴルフバック搬送用台車２００の構成に加えて、ガイド突起部２６０が備わっている。ガイド突起部２６０は、ゴルフバック載置面２１０ａの位置決め用突起部２４０と反対側の端部側縁に向かって当該端部側縁に対して垂直に、ゴルフバック底面１０ｂの直径と略同等の間隔を保って平行に延在する２本の角型棒状の突起部からなっている。このガイド突起部２６０は、台車２００のゴルフバック載置板２１０と一体に形成しても良く、また、棒状に形成した部品をゴルフバック載置面２１０ａに取り付けることによって形成しても良い。
【手続補正２８】
【補正対象書類名】明細書
【補正対象項目名】００６２
【補正方法】変更
【補正の内容】
【００６２】
続いて、本発明の第２実施形態に係るゴルフバック搬送用台車３００について説明する。なお、上述の関連実施形態と同等の構成については、対応する符号を付して詳細な説明を省略する。図６は、本発明の第２実施形態に係るゴルフバック搬送用台車３００の斜視図（図６（ａ））、台車３００の平面図（図６（ｂ））、及び側面図（図６（ｃ））である。
【手続補正２９】
【補正対象書類名】明細書
【補正対象項目名】００６３
【補正方法】変更
【補正の内容】
【００６３】
この第２実施形態においては、既存の複数のサイズのゴルフバック１０に適応可能になっている。即ち、使用者がこのゴルフバック搬送用台車３００を購入した後に、上述したゴルフバック載置部３１１の大きさを任意に、例えば、既存の８インチ、９インチ、１０インチの３種類の大きさのゴルフバック１０の何れかに合わせた大きさに変更できるようになっている。
【手続補正３０】
【補正対象書類名】明細書
【補正対象項目名】００６７
【補正方法】変更
【補正の内容】
【００６７】
続いて、本発明の第３実施形態に係るゴルフバック搬送用台車４００について説明する。なお、上述の関連実施形態と同等の構成については、対応する符号を付して詳細な説明を省略する。図７は、本発明の第３実施形態に係るゴルフバック搬送用台車４００の平面図（図７（ａ））及び側面図（図７（ｂ））である。
【手続補正３１】
【補正対象書類名】明細書
【補正対象項目名】００６８
【補正方法】変更
【補正の内容】
【００６８】
この第３実施形態においては、上述した位置決め用突起部とガイド突起部を形成する代わりに、ゴルフバック載置面４１０ａに平面視でＵ字状をなす凹み部４１５が形成されている。また、凹み部４１５の底面４１５ａは平坦面となっており、その一部がゴルフバック載置部４１１となっている。そしてゴルフバック固定載置部４１１の中央には、上述した本発明の関連実施形態に係るゴルフバック搬送用台車１００と同様に、磁石４５０が磁石取り付け部４１２を介して備わっている。そして、凹み部４１５の互いに離間して平行に延在する側壁部がガイド部４６０をなし、湾曲した部分が位置決め部４４０をなしている。ガイド部４６０はゴルフバック１０の取っ手部１３と反対側の側壁に開口しており、ゴルフバック１０がガイド部４６０に沿って開口した側壁に向かって滑らかに移動可能となっている。
【手続補正３２】
【補正対象書類名】明細書
【補正対象項目名】００６９
【補正方法】変更
【補正の内容】
【００６９】
位置決め部４４０は、本関連実施形態においては、例えば８インチのゴルフバック１０に対応する大きさを有しているゴルフバック固定載置部４１１の中央には、上述した本発明の関連実施形態に係るゴルフバック搬送用台車４００と同様に、例えば直径が約４センチメートルの円板形状をなす磁石４５０が、磁石取り付け部４１２を介して備わっている。
【手続補正３３】
【補正対象書類名】明細書
【補正対象項目名】００７０
【補正方法】変更
【補正の内容】
【００７０】
このような実施形態においても、凹み部４１５の湾曲部となる側壁が前述した位置決め用突起部２４０の役割を十分になすと共に、凹み部４１５の、互いに離間して平行に延在する側壁部がガイド突起部２６０の役割をなし、上述した関連実施形態の奏する効果を得ることが可能となる。また、わざわざ突起部となる部品を取り付ける必要がなく、ゴルフバック載置板４１０と一体化するように本発明における各構成要素を形成することが可能となり、成形性の点で優れている。また、ゴルフバック載置板４１０と一体型に形成した凹み形状とすることにより、上述した突起部よりも強度上比較的優れた構造とすることができる。
【手続補正３４】
【補正対象書類名】明細書
【補正対象項目名】００７１
【補正方法】変更
【補正の内容】
【００７１】
また、この実施形態のように凹み部の底面が平坦ではなかったとしても、凹み部の何れかの箇所においてゴルフバックが支持されるような構造であれば、上述した効果を奏するのに十分である。
【手続補正３５】
【補正対象書類名】明細書
【補正対象項目名】００７３
【補正方法】変更
【補正の内容】
【００７３】
また、上述の関連実施形態及び各実施形態においては、４つの自在キャスタを有した台車を用いて説明したが、ゴルフバックをゴルフバック載置板に載せて搬送する際に、安定した状態を保てれば良く、３つ又は５つ以上の自在キャスタを有する台車にも適用可能である。
【手続補正３６】
【補正対象書類名】明細書
【補正対象項目名】００７４
【補正方法】変更
【補正の内容】
【００７４】
また、上述した関連実施形態及び各実施形態においては、８インチのゴルフバックを例にとって、これに合致するような台車としたが、他のサイズのゴルフバックに合わせて成形することも可能であることは言うまでもない。また、上述した実施形態において、第２実施形態のように、ガイド突起部を、ゴルフバック載置面上でその位置が変更可能なように形成すれば、様々な大きさのゴルフバックにも適用可能である。
【手続補正３７】
【補正対象書類名】明細書
【補正対象項目名】００７５
【補正方法】変更
【補正の内容】
【００７５】
また、上述した第２実施形態と等価的な構成として、ガイド突起部を取り付けない構成とした上述した関連実施形態において、第２実施形態において示したような移動可能なガイド突起部のように、位置決め用突起部又は磁石取り付け部をゴルフバック載置面に対して移動可能に設けることによって、様々な大きさのゴルフバックに適用可能となる。具体的には、位置決め用突起部と磁石との間の距離を変更することができるように、ゴルフバックがゴルフバック載置面からずれる方向と対応する方向に位置決め用突起部をずらしてゴルフバック載置面上の任意の位置で固定できるようにしても良い。
【手続補正３８】
【補正対象書類名】明細書
【補正対象項目名】００７６
【補正方法】変更
【補正の内容】
【００７６】
また、上述の関連実施形態及び各実施形態においては、ゴルフバック載置部に磁石を、対向するゴルフバック底部に着磁部をなし、この磁力による磁石と着磁部との結合を介してゴルフバックを台車に固定する方法として解説した。しかし、これとは反対にゴルフバック固定載置部に着磁部（図示せず）を備え、ゴルフバック底部に磁石（図示せず）を備えた構成としても同様の効果を奏することが可能である。
【手続補正３９】
【補正対象書類名】明細書
【補正対象項目名】００７８
【補正方法】変更
【補正の内容】
【００７８】
なお、上述した磁石においては、一例として直径が４センチメートルのフェライト磁石を用いたが、この代わりにネオジウム磁石を用いれば、直径２センチメートルの磁石で代用することができる。このことより、上述した本発明の作用を発揮するに当たって、様々な寸法の磁石を用いることが可能であることが分かる。なお、上述した第２実施形態の３つの磁石を並べる構成においては、一例として直径２センチメートルのネオジウム磁石を用いた構成とすれば、載置板の幅及び長さも必要とせず、コンパクトな構成にすることが可能である。